(57)【要約】【課題】開口部装置と各種付帯装置を関連付けて設計することにより課題を解決することが可能な技術を提案するものである。【解決手段】室内壁１１の開口部２０の少なくとも上部に設けられる額縁６を備えた開口部装置（サッシ１２）であって、上部に設けられる額縁６は、室内壁１１よりも室内側に張り出す張出部３０を備えた、開口部装置とする。これにより、例えば、張出部３０に対し、サッシ１２などの開口部装置１に付帯するカーテン１４などの付帯装置を設ける場合において、予め設計されており変動することのない張出部３０の配置（高さや幅）に基づいて、カーテン１４の高さ寸法ｈや幅寸法ｗを設計することによれば、施工現場での採寸が不要となり、また、カーテン１４の最適寸法を予め設定することが可能となる。【選択図】図１
2014091956.tif 000002
【特許請求の範囲】
【請求項１】
室内壁の開口部の少なくとも上部に設けられる額縁を備えた開口部装置であって、
前記上部に設けられる額縁は、前記室内壁よりも室内側に張り出す張出部を備えた、開口部装置。
【請求項２】
前記額縁は、前記開口部の左右に設けられる枠材をさらに含み、
前記張出部は前記左右枠材よりも室内側に張り出している板材である、
ことを特徴とする請求項１に記載の開口部装置。
【請求項３】
前記左右枠材は、いずれか一方が前記張出部の端部より内側へ配置される、
ことを特徴とする請求項１又は２に記載の開口部装置。
【請求項４】
前記張出部の長手方向に取付部材が設けられ、
前記取付部材に前記開口部を遮蔽する遮蔽装置を取り付けることを可能とする、
請求項１乃至請求項３のいずれか一項に記載の開口部装置。
【請求項５】
前記取付部材が、前記張出部の室内側又は下面に、長手方向に形成される溝に取り付けられるカーテンレールである、
ことを特徴とする請求項４に記載の開口部装置。
【請求項６】
前記取付部材は、前記張出部の室内側を覆うカバー部を備え、前記カーテンレールとして機能する取付部材が前記張出部の室内側に設けられる、
ことを特徴とする請求項５に記載の開口部装置。
【請求項７】
前記張出部は、
前記額縁に取り付け可能なものである、
ことを特徴とする請求項１請求項６のいずれか一項に記載の開口部装置。
【発明の詳細な説明】
【技術分野】
【０００１】
本発明は、サッシ（窓）やドアなどの開口部装置が設置される開口部周りの構造に関する。
【背景技術】
【０００２】
従来、建物の開口部には、サッシ、ドアなどの開口部装置がされており、この開口部装置の形状や配置に合わせるようにして、各種の部材、装置（以下、「各種付帯装置」とする）が設置される。
【０００３】
例えば、窓ガラスを備えるサッシであれば、室内側にカーテン、ブラインド、ロールカーテンなどの日射遮蔽装置となるものを設け、室内空間が外から見えないように遮蔽することが行われている。
【０００４】
そして、例えば、カーテンであれば、特許文献１にも開示されるように、ブラケットを介して壁にカーテンレールを固定する形態が従来知られている。このカーテンレールには、複数のランナーが移動可能に挿入されるとともに、このランナーに対してフックを介してカーテンが取付けられることとしている。
【先行技術文献】
【特許文献】
【０００５】
【特許文献１】特開２００７−２０２７４５号公報
【特許文献２】特開２００７−１９５７０７号公報
【発明の概要】
【発明が解決しようとする課題】
【０００６】
上述したように、遮蔽装置などの各種付帯装置の寸法は各種付帯装置を壁に取付けるためのブラケット位置によって決まるため、施工現場においてブラケットをまず固定してその位置を確定する必要があった。
【０００７】
例えば、上述のカーテンの例であれば、施工現場で施工された開口部装置の上方に、まずカーテンレールを設置し、その後、カーテンレールの高さ位置から必要となるカーテンの高さ寸法や、幅寸法を採寸し、その採寸の結果に基づいてカーテンの高さ寸法や幅寸法を決定する必要があった。つまり、カーテンレールの取付位置（ブラケットの壁に対する取付位置）が施工現場によって異なるものであるため、カーテンの採寸を都度行い最適寸法を見定める必要があった。
【０００８】
この必要性は、カーテンレールを取付けるまでは、カーテンの高さ寸法や幅寸法が決定することができないことに起因するものである。また、壁の裏側に存在する下地材に対しカーテンレールを固定することになるが、この下地材の位置を施工現場で確認する必要があること、さらには、施工バラつきが生じることを加味すると、結局のところ、上述したような施工現場での採寸を実施しなければ、カーテンの最適な寸法を決定することができないものであった。
【０００９】
以上のことから明らかなように、開口部装置の各種付帯装置については、施工現場で採寸が必要となることや、各種付帯装置の最適寸法を予め設定することができない、といった課題が存在していた。
【００１０】
本発明は、以上の問題点に鑑み、カーテンレールなどの各種付帯装置の部材の取付位置を規程化することで、カーテンなどの各種付帯装置の部材の最適寸法を設定しやすくするための新規な技術を提案するものである。
【課題を解決するための手段】
【００１１】
本発明の解決しようとする課題は以上の如くであり、次にこの課題を解決するための手段を説明する。
【００１２】
即ち、請求項１に記載のごとく、
室内壁の開口部の少なくとも上部に設けられる額縁を備えた開口部装置であって、
前記上部に設けられる額縁は、前記室内壁よりも室内側に張り出す張出部を備えた、開口部装置とする。
【００１３】
また、請求項２に記載のごとく、
前記額縁は、前記開口部の左右に設けられる枠材をさらに含み、
前記張出部は前記左右枠材よりも室内側に張り出している板材であることとする。
【００１４】
また、請求項３に記載のごとく、
前記左右枠材は、いずれか一方が張出部の端部より内側へ配置される、こととする。
【００１５】
また、請求項４に記載のごとく、
前記張出部の長手方向に取付部材が設けられ、
前記取付部材に前記開口部を遮蔽する遮蔽装置を取り付けることを可能とする。
【００１６】
また、請求項５に記載のごとく、
前記取付部材が、前記張出部の室内側又は下面に、長手方向に形成される溝に取り付けられるカーテンレールであることとする。
【００１７】
また、請求項６に記載のごとく、
前記取付部材は、前記張出部の室内側を覆うカバー部を備え、前記カーテンレールとして機能する取付部材が前記張出部の室内側に設けられる、こととする。
【００１８】
また、請求項７に記載のごとく、
前記張出部は、
前記額縁に取り付け可能とする。
【発明の効果】
【００１９】
本発明の効果として、以下に示すような効果を奏する。
【００２０】
即ち、請求項１に記載の発明においては、例えば、張出部に対し、サッシなどの開口部装置に付帯するカーテンなどの付帯装置を設ける場合において、予め設計されており変動することのない張出部の配置高さや幅に基づいて、カーテンの高さ寸法や幅寸法を設計することによれば、施工現場での採寸が不要となり、また、カーテンの最適寸法を予め設定することが可能となる。
【００２１】
また、請求項２に記載の発明においては、額縁によって、張出部を構成することができる。
【００２２】
また、請求項３に記載の発明においては、幅広に構成された部位において、例えば、付帯装置としてカーテンを設ける場合において、カーテンが開かれた際に建物開口部よりも横の位置にたたんでおくためのたたみ代を確保することができる。
【００２３】
また、請求項４に記載の発明においては、例えば、張出部の室内側に、カーテン、ブラインド、ロールカーテンなどの遮蔽装置を取付けることが可能となる。また、張出部を例えば木材で構成した場合において、取付部材を例えばアルミ製のレール部材で構成することによれば、取付部材に荷重がかかった場合においても、木材の部位の亀裂の発生などの破損を防ぐことが可能となる。
【００２４】
また、請求項５に記載の発明においては、カーテンなどのランナーを滑らせる形態の遮蔽装置を取付けることが可能となる。
【００２５】
また、請求項６に記載の発明においては、張出部の室内側端面が隠されて、継目のない室内側表面を構成することができる。また、張出部（上枠）が木材の場合に発生しうる”たわみ”等に対して、取付部材のカバー部があることで、たわみの発生を抑制または隠すことができる。
【００２６】
また、請求項７に記載の発明においては、例えば、既存の上枠について、リフォームなどにおいて、追加的に張出部を設けることが可能となる。
【図面の簡単な説明】
【００２７】
【図１】本発明の概要について示す室内側斜視図である。
【図２】本発明の概要について示す室内側正面図である。
【図３】上枠の実施形態について示す側面断面図である。
【図４】上枠を下側から臨んだ際に見える上枠の下面について示す図である。
【図５】（Ａ）は本実施形態の枠材の配置による効果について示す側面断面図である。（Ｂ）は本実施形態ではない場合の不具合について示す側面断面図である。
【図６】（Ａ）は枠材を二列に配置する構成について示す側面断面図である。（Ｂ）は枠材を一列に配置する構成について示す側面断面図である。
【図７】上枠の幅方向における片側端部の構成について示す平面図である。
【図８】（Ａ）は端部部材の構成と使用方法の一例について示す斜視図である。（Ｂ）は端部部材の構成と使用方法の他の例について示す斜視図である。
【図９】レール部材の長手方向の端部を湾曲させて、室内壁に至るように回り込ませるように構成例について示す図である。
【図１０】（Ａ）は枠材を室内壁側に回り込ませる例について示す平面図である。（Ｂ）は上枠においてカーテンボックスを構成する例について示す斜視図である。
【図１１】カーテンボックスを構成する例について示す側面断面図である。
【図１２】（Ａ）は上枠に対して別体の張出部を取付ける構成例について示す側面断面図である。（Ｂ）は連結用金具を用いて別体の張出部を取付ける構成例について示す側面断面図である。（Ｃ）はクランク状に構成される上枠の構成について示す側面断面図である。
【発明を実施するための形態】
【００２８】
以下、本発明の実施形態を図面に基づいて説明する。
図１は本発明の一実施形態について示す斜視図であり、図２は室内側から臨む正面図である。この実施形態では、窓ガラス１０を備えるサッシ１２（開口部装置）について、その付帯装置としてカーテン１４が設けられる構成としている。
【００２９】
そして、このカーテン１４は、開口部２０の室内側の上辺部分２０ａ（図２）に配置される上枠３に対して取付けられる。この上枠３は、縦枠（左枠材、右枠材）４，５とともに、開口部２０の室内側の三方を取り囲む額縁６を構成する。
【００３０】
図２に示すごとく、サッシ１２は、掃き出し窓として構成されており、上枠３から床面７までの高さ寸法Ｈに応じて、カーテン１４の高さ寸法ｈが決定される必要がある。また、上枠３の幅寸法Ｗに応じて、カーテン１４の幅寸法ｗが決定される必要がある。
【００３１】
ここで、施工現場における床面７から上枠３までの高さ寸法Ｈについては、予め設計された通りの寸法であって変動することはないため、カーテン１４の高さ寸法ｈについては、高さ寸法Ｈに基づいて設計することで最適な寸法設定が可能となる。例えば、高さ寸法ｈを高さ寸法Ｈよりも数センチ長くする、数センチ短くする、或いは、同一とする、といった設計をした場合に、設計したとおりの内容が施工現場で実現されることになる。
【００３２】
同様に、上枠３の幅寸法Ｗについては、予め設計された通りの寸法であって変動することはないため、カーテン１４の幅寸法ｗについては、幅寸法Ｗに基づいて設計することで最適な寸法設定が可能となる。例えば、幅寸法ｗを幅寸法Ｗよりも所定の長さ余裕を持たせるといった設計をした場合に、設計したとおりの内容が施工現場で実現されることになる。
【００３３】
以上のことからわかるように、予め設計されており変動することのない高さ寸法Ｈや幅寸法Ｗに基づいて、カーテン１４の高さ寸法ｈや幅寸法ｗを設計することによれば、施工現場での採寸が不要となり、また、カーテン１４の最適寸法を予め設定することが可能となる。
【００３４】
なお、本実施形態では、開口部装置として掃き出し窓の例を用いて説明するが、腰窓などの各種のサッシ（窓）や、ドア（額縁）、引戸（額縁）などの開口部装置が配置される箇所について、付帯装置を設ける場合についても、本発明を適用することができる。
【００３５】
また、額縁６を構成する各枠材（上枠３、縦枠４，５）は、枠材の全てが室内壁１１に貼設されるクロスによって覆われた状態のクロス収まりとすることや、上枠３の張出部３０のみがクロスによって覆われず、他の部位が覆われた状態とするクロス収まりとすることなども考えられる。
【００３６】
そして、以上のことを実現するために、本実施形態では、図３に詳細に示すように、開口部２０を囲む額縁６の上枠３にカーテンを取付けるための張出部３０を設け、張出部３０にランナー３３を移動可能に収容するための取付部材３２，３４が配設される構成としている。
【００３７】
なお、本実施形態では、上枠本体３６と取付部材３２，３４を別部材で構成することとしているが、切削加工などで上枠本体３６に取付部材３２，３４と同一形状の部位を形成することとしてもよい。
【００３８】
以下、上枠３の構造について詳述すると、上枠３の室外側にはサッシ１２が配置されており、上枠３の室外側の端部には、サッシ１２の枠部分１２ａ（或いは枠部分に連結される部材）に対して位置決めされる位置決め部位３ａが形成されている。
【００３９】
上枠３は、室内外方向Ｘにおいて奥行幅Ｄ１を有しており、張出部３０が室内壁１１から奥行幅Ｄ２だけ突出されている。上枠３の室内壁１１よりも室外側の部位の上方には、まぐさ１６が配置されており、下側からビス１７を差込むようにして上枠３がまぐさ１６に対して固定される。
【００４０】
また、この上枠３の張出部３０は、縦枠５（右枠材）に比べて、室内側に奥行幅Ｄ４だけ張り出している。また、図１にも示されるように、上枠３の張出部３０は縦枠４（左枠材）に比べて、室内側に張り出している。また、縦枠４（左枠材）、縦枠５（右枠材）の室内側は、室内壁１１より突出するように配置されている。
【００４１】
また、図２にも示されるように、張出部３０はカーテン１４の上方を覆うように存在するように配置される。これにより、カーテン１４とサッシ１２の間の隙間において、その上方の開放隙間が張出部３０によって遮蔽することが可能となり、張出部３０によって、遮音性、熱の遮断性、遮光性の向上を図ることが可能となる。
【００４２】
具体的には、図５（Ａ）の例であれば、遮光カーテン１４Ｘとレースカーテン１４Ｙの室外側に形成される空間ＫＸ，ＫＹの上方が張出部３０によって覆われるため、張出部３０によって音、熱、光などが上方に漏れてしまうことを防ぐことができる。上述した従来技術のカーテンレールでは、このような効果は得られるものではない。
【００４３】
また、図３に示すごとく、上枠３の室内側の端部には、カーテンフック１５を引っ掛けるためのランナー３３を移動可能に収容するための取付部材３２が設けられている。この取付部材３２は、本実施形態では、長尺の木製の上枠本体３６に形設した溝部３６ａに装着される長尺のアルミ製のレール部材３２ａにて構成されている。
【００４４】
上枠本体３６の溝部３６ａは、張出部３０の室内側の端部であって、下側の角部３６ｘを切り欠いてなる段差面３６ｂ，３６ｃを有して構成されている。レール部材３２ａは、この溝部３６ａの段差面３６ｂ，３６ｃに当接される当接面３２ｂ，３２ｃと、上枠本体３６の室内側端面３６ｄに当接する面を有するカバー部３２ｄと、上枠本体３６の室内側の上側の角部３６ｙに係止されるとともに、上枠本体３６の上面３６ｅに当接する係止部３２ｅを有して構成される。
【００４５】
レール部材３２ａの当接面３２ｃ、及び、カバー部３２ｄの下端部からは、支持片部３２ｆ，３２ｇが対向して延設されており、支持片部３２ｆ，３２ｇの間には、ランナー３３の縦軸部３３ａを挿通するための開口３２ｈが確保されている。
【００４６】
そして、取付部材３２の当接面３２ｂ，３２ｃとカバー部３２ｄと支持片部３２ｆ，３２ｇによって囲まれる空間によって、ランナー３３の被ガイド部３３ｂを移動可能に収容するガイド空間３２ｋが形成されるようになっている。
【００４７】
なお、以上の構成においては、取付部材３２（の一部）を張出部３０の上枠本体３６に埋め込む形態とされているため、取付部材３２内をランナー３３が摺動する際の騒音を低減することができ、カーテンの開け閉めの際に発生する音（騒音）を低減することができる。また、取付部材３２を埋め込まずに、張出部３０の下面３６ｖに取付ける構成としてもよい。
【００４８】
また、以上の構成においては、取付部材３２のカバー部３２ｄによって、張出部３０（上枠本体３６）の室内側端面３６ｄが隠されて、継目のない室内側表面を構成することができる。また、後述する化粧シート３８を取付部材３２に貼付した場合においても、化粧シート３８の表面に皺や段差が生じることを防止することができる。
【００４９】
また、以上の構成においては、取付部材３２について、ガイド空間３２ｋが張出部３０において室内側の端部となる位置に配置されることになるため、図５（Ａ）に示すように、室内側端面３６ｄに近い位置にカーテン（遮光カーテン１４Ｘ）が配置され、特に、カーテンフック１５についてＢフック（一般的にカーテンレールを隠す納まりを実現するもの）が用いられる場合において、図５（Ｂ）に示すように、取付部材３２ｘが室内側の端部に配置されず、距離ｘ１が大きくなる場合と比較して、カーテン（遮光カーテン１４Ｘ）の納まりを良好なものとすることができる（カーテンの上端部が無駄に傾斜することがない。）。
【００５０】
また、以上の構成においては、取付部材３２について開口３２ｈが下方に向けて設けられて、ランナー３３によってカーテンを吊り下げる構成とするものであるが、例えば、開口３２ｈを室内側に向けることによって、取付部材３２によってピクチャーレールを構成することなども考えられる。
【００５１】
さらに、図３に示すごとく、上枠３の室内外方向Ｘの中途部において、室内壁１１よりも室内側の部位には、カーテンフック１５を引っ掛けるためのランナー３３を移動可能に収容するための取付部材３４が構成されている。この取付部材３４は、本実施形態では、長尺の木製の上枠本体３６に形設した溝部３６ｈに装着される長尺のアルミ製のレール部材３４ａにて構成されている。
【００５２】
上枠本体３６の溝部３６ｈは、下方に向けて開口される略コ字状の溝部であって、天面３６ｊ、縦面３６ｍ，３６ｎを有して構成されている。レール部材３４ａは、この溝部３６ｈの天面３６ｊに当接する当接面３４ｊと、溝部３６ｈの天面３６ｊの縦面３６ｍ，３６ｎに当接する当接面３４ｍ，３４ｎを有して構成される。
【００５３】
レール部材３４ａの当接面３４ｍ，３４ｎの下端部からは、支持片部３４ｒ，３４ｓが対向して延設されており、支持片部３４ｒ，３４ｓの間には、ランナー３３の縦軸部３３ａを挿通するための開口３４ｐが確保されている。
【００５４】
そして、取付部材３４の当接面３４ｊ，３４ｍ，３４ｎと、支持片部３４ｒ，３４ｓによって囲まれる空間によって、ランナー３３の被ガイド部３３ｂを移動可能に収容するガイド空間３４ｋが形成されるようになっている。
【００５５】
なお、以上の構成においては、取付部材３４（の一部）を張出部３０の上枠本体３６に埋め込む形態とされているため、取付部材３４内をランナー３３が摺動する際の騒音を低減することができ、カーテンの開け閉めの際に発生する音を低減することができる。また、取付部材３４を埋め込まずに、張出部３０の下面３６ｖに取付ける構成としてもよい。
【００５６】
さらに、上枠３の室内外方向Ｘの中途部において、取付部材３４よりも室外側の部位には、ビス１７が差込まれる部位を構成する溝部３６ｕが形成される。このように、溝部３６ｕを形設することによって、上枠３内にビス１７の頭部を埋め込むようにして配置することができ、また、図４に示すように、この溝部３６ｕに例えば樹脂製の長尺のカバー部材３７を嵌着することによって、溝部３６ｕ、及び、ビス１７が隠されて意匠性が確保できる。
【００５７】
なお、連続する溝部３６ｕを形成するほか、丸穴によってビス１７の頭部を埋め込むようにしてもよい。また、本実施形態のように、連続する溝部３６ｕとする場合には、ビス１７を緩めてビス１７を別の部位に差込むことができるといった効果が得られることになる。また、上枠３の反り、ねじれ、たわみ等の経年劣化による隙間が発生した場合であっても、外観に影響することなく追加的なビスによる上枠３の固定も可能となる。
【００５８】
また、上枠３において、少なくとも、レール部材３２ａの当接面３２ｄには、化粧シート３８が貼付され、この化粧シート３８（点線で示す）の色柄によって上枠３の室内側端部の外観意匠を構成できるようになっている。この化粧シート３８は、上枠本体３６の上面３６ｅと下面３６ｖと同様の色柄とすることが好ましい。なお、カバー部材３７についても、化粧シート３８と同様の色柄とすることが好ましい。
【００５９】
また、以上の上枠３については、図６（Ａ）に示すように、上枠３に取付部材３２，３４が二列に設けられ、例えば、遮光カーテン１４Ｘとレースカーテン１４Ｙが設けられる構成としたが、図６（Ｂ）に示すように、上枠３Ｍに一列の取付部材３２Ａだけが設けられ、遮光カーテン１４Ｘのみが設置されることとしてもよい。いずれの形態にするかは、建物開口部に設けられる開口部装置に応じて適宜選定することができる。また、図６（Ｂ）に示す構成とする場合には、図６（Ａ）に示される二列用の端部部材４０（詳しくは後述する）の代わりに、一列用の端部部材４０Ａが用いられる。さらに、一列、二列とするほか、三列以上とすることも考えられる。
【００６０】
図７は、上枠３の幅方向Ｙにおける片側端部の構成について示す平面図であり、上枠３の張出部３０は、幅方向Ｙにおいて、額縁６を構成する縦枠５よりも、上枠３の幅が広がる方向に突出幅寸法ｗ２だけ突出する突出部３０ａが構成されている。
【００６１】
上枠３においては、室内外方向Ｘにおいて、縦枠５の奥行幅Ｄ３と一致する範囲が額縁構成部３０ｂとして構成され、この額縁構成部３０ｂと縦枠５とが連結用部材８によって固定されることとしている。なお、このような連結用部材８を用いることで、縦枠４（図２）と縦枠５と上枠３を予めコ字状に組み立てた額縁６を構成し、この額縁６を建物開口部に組み込むといった施工性に優れた構成（施工が楽）が実現可能となる。
【００６２】
そして、この額縁構成部３０ｂから室内側に張り出すようにして張出部３０が設けられる。この上枠３の張出部３０は、縦枠５に比べて、室内側に奥行幅Ｄ４だけ張り出している。この張出部３０において、縦枠５のよりも幅方向で広がる方向に突出する突出部３０ａと室内壁１１の間には、隙間１３が形成されるようになっている。この隙間１３は特に限定されるものではないが、例えば、、開口部装置のサイズや室内壁の厚みの違いによって、５ｍｍ〜１５ｍｍの範囲で変化することが考えられる。
【００６３】
なお、この突出部３０ａは、カーテンのたたみ代を構成するためのものであり、図２及び図４に示すごとく、両開きのカーテンが設置される場合には、張出部３０の幅方向Ｙ（左右方向）の両側に設けられる。このほか、片開きのカーテンを設ける場合には、張出部３０の幅方向Ｙ（左右方向）の一端側にのみ突出部３０ａを設けることとしてもよい。
【００６４】
また、張出部３０については、カーテンなどの付帯装置を吊り下げる用途として用いるほか、張出部３０の上にものを載置するなど、棚の一種として用いることとしてもよい。この棚を構成するために必要な部材を張出部３０に追加的に設けることとしてもよい。
【００６５】
また、張出部３０（突出部３０ａ）の長手方向の端部には、端部部材４０が設けられる。本実施形態の端部部材４０は、図８（Ａ）に示すごとく、張出部３０（突出部３０ａ）の端部に被せるような側面４１を有するキャップ形状をなすものであり、取付部材３２，３４のガイド空間３２ｋ，３４ｋの端部を閉鎖することによって、ランナー３３を脱落させないようにしている。
【００６６】
図８（Ａ）に示すごとく、端部部材４０の下面４２には、取付部材３２，３４に対して端部部材４０を固定するための固定具４３を挿通するための貫通穴４２ａ，４２ｂが形成されている。本実施形態では、取付部材３２，３４のガイド空間３２ｋ，３４ｋに図示せぬナット体を挿入するとともに、このナット体に対して固定具４３をねじ込むことによって、端部部材４０が取付部材３２，３４に対して固定され、これにより、端部部材４０が張出部３０に固定されることとしている。
【００６７】
図８（Ａ）に示すごとく、端部部材４０の下面４２には、カーテンフック１５を引っ掛けるための引っ掛け部４４ａ，４４ｂ，４４ｃが設けられている。この引っ掛け部４４ａ，４４ｂ，４４ｃは、カーテン１４の幅方向の端部に取付けられるカーテンフック１５を引っ掛けることで、カーテン（遮光カーテン１４Ｘ、レースカーテン１４Ｙの端部の移動を規制するためのものである。
【００６８】
本実施形態では、張出部３０の室内外方向Ｘにおいて、合計３箇所に配置されることとしており、例えば、室内側に配置される引っ掛け部４４ａについては、取付部材３２に取付けられる遮光カーテン１４Ｘのカーテンフック１５を、室内外方向Ｘの中途部に配置される引っ掛け部４４ｂについては、取付部材３４に取付けられるレースカーテン１４Ｙのカーテンフック１５を、それぞれ引っ掛けるようにして用いることができるようになっている。
【００６９】
さらに、図８（Ｂ）に示すごとく、室内側に配置される引っ掛け部４４ａに加え、室外側に配置される引っ掛け部４４ｃについてもカーテンフック１５を引っ掛けるようにすることで、遮光カーテン１４Ｘの端部を室内壁１１に至るように回り込ませるようにすることも可能となる。
【００７０】
なお、このことと関連して、図９に示すように、レール部材３２ａの長手方向の端部を湾曲させて、室内壁１１に至るように回り込ませるように構成してもよい。
【００７１】
さらに、図１０（Ａ）（Ｂ）、及び、図１１に示すように、上枠３の全体を取り囲むような、ボックス上の幕板部材５６を上枠３に付設する構成としてもよい。
【００７２】
この構成によれば、カーテンの上端部を隠す構成とすることができる。カーテンボックス５４が構成されることによって、カーテン１４の裏側から室内側への空気の流れや明かり漏れを遮断することが可能となり、遮音性、熱の遮断性、遮光性を向上させることが可能となる。
【００７３】
以上のようにして本発明を実施することができ、以上の構成から説明されるように、本発明は以下の点を特徴とすることができる。
即ち、図１及び図２に示すごとく、
室内壁１１の開口部２０の少なくとも上部に設けられる額縁６を備えた開口部装置（サッシ１２）であって、上部に設けられる額縁６は、室内壁１１よりも室内側に張り出す張出部３０を備えた、開口部装置とする。
【００７４】
これにより、例えば、張出部３０に対し、サッシ１２などの開口部装置１に付帯するカーテン１４などの付帯装置を設ける場合において、予め設計されており変動することのない張出部３０の配置（高さや幅）に基づいて、カーテン１４の高さ寸法ｈや幅寸法ｗを設計することによれば、施工現場での採寸が不要となり、また、カーテン１４の最適寸法を予め設定することが可能となる。
【００７５】
また、図１及び図２に示すごとく、額縁６は、開口部２０の左右に設けられる枠材（縦枠４，５）をさらに含み、張出部３０は左右枠材よりも室内側に張り出している板材である、こととする。
【００７６】
これにより、額縁６によって、張出部３０を構成することができる。なお、この張出部３０は、縦枠５に比べて、室内側に張り出す構成とすることができる。
【００７７】
また、図１２（Ａ）に示すごとく、張出部３０Ａは、額縁（既存の上枠３でもよい）に対して取付けられることとしてもよい。
【００７８】
これにより、例えば、既存の上枠について、リフォームなどにおいて、追加的に張出部３０を設けることが可能となる。なお、図１２（Ａ）に示すように、追加的な張出部３０Ａを既存の上枠３Ａに対して嵌合させるようにして取付けるほか、図１２（Ｂ）に示すように、連結用金具３ｍ，３ｎを用いて上枠３Ｂに対して張出部３０Ｂを取付けることとしてもよい。また、図１２（Ｃ）に示すように、張出部３０Ｃが上枠と一体的（或いは別体でもよい）であって、上枠よりも高い位置にクランク状に設けられることとしてもよい。
【００７９】
また、図３に示すごとく、張出部３０の長手方向に沿って取付部材（取付部材３２，３４）が設けられ、取付部材（取付部材３２，３４）に開口部２０を遮蔽する遮蔽装置（カーテン１４）を取り付けることを可能とする構成とする。具体的には、張出部３０には、一方（実施形態では下方）に開口３２ｈを有する取付部材３２が設けられ、前記取付部材３２に遮蔽装置としてのカーテン１４が取付けられ得ることとしている。
【００８０】
これにより、上枠３について、カーテン、ブラインド、ロールカーテンなどの遮蔽装置を取付ける機能を持たせることができる。また、カーテンレールなどの取付工事などを不要とすることができる。
【００８１】
また、図３に示すごとく、取付部材（取付部材３２，３４）は、張出部３０の室内側又は下面に、長手方向に形成される溝に取り付けられるカーテンレールとする。
【００８２】
これにより、カーテンなどのランナー３３を滑らせる形態の遮蔽装置を取付けることが可能となる。
【００８３】
また、図３に示すごとく、取付部材３２は、張出部３０の室内側に設けられる、こととしている。
【００８４】
これにより、例えば、張出部３０の室内側に、カーテン、ブラインド、ロールカーテンなどの遮蔽装置を取付けることが可能となる。また、張出部３０を例えば木材で構成した場合において、取付部材３２を例えばアルミ製のレール部材３２ａで構成することによれば、取付部材３２に荷重がかかった場合においても、木材の部位の亀裂の発生などの破損を防ぐことが可能となる。
【００８５】
また、図３に示すごとく、取付部材３２は、張出部３０の室内側（室内側端面３６ｄ）を覆うカバー部３２ｄを備え、カーテンレールとして機能する取付部材３２が張出部３０の室内側（室内側端面３６ｄ）に設けられることとする。
【００８６】
これにより、張出部の室内側端面が隠されて、継目のない室内側表面を構成することができる。また、張出部（上枠）が木材の場合に発生しうる”たわみ”等に対して、取付部材のカバー部があることで、たわみの発生を抑制または隠すことができる。
【００８７】
また、図３に示すごとく、取付部材３２は、張出部３０の室内側端面３６ｄを覆うカバー部３２ｄと、張出部３０の上面３６ｅと係止される係止部３２ｅと、を有することとしている。
【００８８】
これにより、取付部材３２に下方向に荷重がかかる場合であっても、係止部３２ｅが張出部３０の上面３６ｅに係止されることで、取付部材３２の撓み（変形）を防止することができる。
【００８９】
また、図３に示すごとく、張出部３０を建物開口部（まぐさ１６）に固定するための（固定具（ビス１７）を配置するための）固定部（溝部３６ｕ）が構成される。
【００９０】
これにより、張出部３０を含む上枠３を全体として、例えば、建物開口部のまぐさ１６に固定することが可能となる。
【００９１】
また、図４２に示すごとく、
左右枠材（縦枠４，５）の間隔Ｗ１に比べ、張出部３０の長手方向の長さＷ２が長い、こととしている。換言すれば、張出部３０の幅方向（左右方向）の端部は、額縁６を構成する左右の縦枠４，５の少なくとも一方よりも幅広に構成される、こととする。つまり、左右枠材（縦枠４，５）は、いずれか一方が張出部３０の端部より内側へ配置されるようになっている。
【００９２】
これにより、幅広に構成された部位（図７の例では突出部３０ａ）において、例えば、付帯装置としてカーテンを設ける場合において、カーテンが開かれた際に建物開口部よりも横の位置にたたんでおくためのたたみ代を確保することができる。
【００９３】
なお、以上に説明した実施形態に対し、上枠（額縁）について、例えばカーテンレールを取付可能な構成とすることも考えられる。しかしながら、（１）上枠（額縁）に対して別部材であるカーテンレールを組み合つける作業が必要となり、作業バラつきの観点などから、結局はカーテンレールを取付けるまで最適寸法が確定できず、本願発明の課題を解決できないことになる。また、（２）上枠と材質の異なる別部材を上枠（額縁）に付設する形態となるため、材質の一体感が損なわれ、意匠性を担保することが困難となる。また、（３）単に上枠（額縁）と同寸法のカーテンレールを取付けるだけでは、縦枠とカーテンの間に隙間が生じて明かり漏れの問題が生じることになってしまう。上述した実施形態によれば、このような問題が生じることのない構成を実現することが可能となる。
【産業上の利用可能性】
【００９４】
本発明は、住宅等の建物開口部において、カーテン、ブラインド、ロールカーテンなどの遮蔽装置といった開口部装置の付設装置に関連して、幅広く適用することができる。
【符号の説明】
【００９５】
１    開口部構造
３    上枠
１０    窓ガラス
１１    室内壁
１２    サッシ
１４    カーテン
２０    開口部
３０    張出部
３２    取付部材
３３    ランナー
４０    端部部材
【図１】
2014091956.tif 000003
【図２】
2014091956.tif 000004
【図３】
2014091956.tif 000005
【図４】
2014091956.tif 000006
【図５】
2014091956.tif 000007
【図６】
2014091956.tif 000008
【図７】
2014091956.tif 000009
【図８】
2014091956.tif 000010
【図９】
2014091956.tif 000011
【図１０】
2014091956.tif 000012
【図１１】
2014091956.tif 000013
【図１２】
2014091956.tif 000014